(57)【要約】【課題】  従来の携帯電話システムでは、緊急時に多くの人に情報を通報し得るという携帯電話の利点を十分に活用していないという問題点があり、携帯電話機にシステムの上位から強制的に通報し、多くの人に非常事態や緊急時の情報提供を行うことができる携帯電話システムを提供する。【解決手段】  移動局４に、緊急データとそれに対応する緊急メッセージとを対応させて記憶する緊急データテーブル４３ａを備え、緊急時には、基地局３が、メインホスト局１からの指示に従って、特定の緊急データを入れて送信し、移動局４が、特定のデータを受信すると、緊急データテーブル４３ａを参照して、対応する緊急メッセージをディスプレイ４４に出力する携帯電話システムである。【選択図】        図４
2005204326.tif 000002
【特許請求の範囲】
【請求項１】
基地局に指示を出力するメインホスト局と、
前記メインホスト局からの指示に従って、特定のデータを送信する基地局と、
前記基地局から伝送される前記特定のデータを受信した場合に、待ち受け中か通話中かを判断し、待ち受け中であれば呼出音を出力し、通話中であれば前記特定のデータに対応する情報をディスプレイに表示する移動局と
を備えたことを特徴とする携帯電話システム。
【請求項２】
携帯電話システムにおける移動局であって、
呼出音を出力するサウンダと、
音声を出力するスピーカと、
特定のデータを受信した場合に待ち受け中か通話中かを判断し、待ち受け中であれば前記サウンダに呼出音を出力し、通話中であれば前記特定のデータに対応する情報をディスプレイに出力する処理部と
を備えたことを特徴とする移動局。
【発明の詳細な説明】
【技術分野】
【０００１】
本発明は、携帯電話システムに係り、特に、携帯電話機を介して非常事態や災害時に強制的に通報を行い、多くの人に危険を報知できる携帯電話システムに関する。
【背景技術】
【０００２】
従来、一般の人々に対する非常事態や災害を事前に知らせる方法としては、テレビやラジオが一般的であり、効果は高いものの、行動範囲が広い現代の人々はこれだけの情報化社会の中でも必ずしもテレビやラジオに常に接しているとは限らないものである。
【０００３】
そのような中で携帯電話はその手軽さにより広く普及し、常に情報を得られる端末としての利点が高い。
【発明の開示】
【発明が解決しようとする課題】
【０００４】
しかしながら、上記従来の携帯電話システムでは、端末が利用者に常に接している利点を生かして、情報を強制的に送信するというシステムが存在せず、非常事態や緊急時等に多くの人に通報し得るという携帯電話の利点を十分に活用していないという問題点があった。
【０００５】
本発明は上記実情に鑑みて為されたもので、携帯電話機にシステムの上位から強制的に情報を通報し、多くの人に非常事態や緊急時の情報提供を行うことができる携帯電話システムを提供することを目的とする。
【課題を解決するための手段】
【０００６】
上記従来例の問題点を解決するための本発明は、携帯電話システムにおいて、基地局に指示を出力するメインホスト局と、メインホスト局からの指示に従って、特定のデータを送信する基地局と、基地局から伝送される特定のデータを受信した場合に、待ち受け中か通話中かを判断し、待ち受け中であれば呼出音を出力し、通話中であれば特定のデータに対応する情報をディスプレイに表示する移動局とを備えたことを特徴としており、緊急時には、メインホスト局から移動局に対して緊急通報を行って、待ち受け／通話中にかかわらず危険を報知することができる。
【０００７】
また、本発明は、携帯電話システムにおける移動局であって、呼出音を出力するサウンダと、音声を出力するスピーカと、特定のデータを受信した場合に待ち受け中か通話中かを判断し、待ち受け中であればサウンダに呼出音を出力し、通話中であれば特定のデータに対応する情報をディスプレイに出力する処理部とを備えたことを特徴としており、待ち受け／通話中にかかわらず危険を報知することができる。
【発明の効果】
【０００８】
請求項１記載の発明によれば、メインホスト局の指示により、基地局から移動局に対して特定のデータを送出し、移動局が特定のデータを受信した場合に、待ち受け中か通話中かを判断し、待ち受け中であれば呼出音を出力し、通話中であれば特定のデータに対応する情報をディスプレイに表示する携帯電話システムとしているので、緊急時には、メインホスト局から移動局に対して強制的に緊急通報を行って、待ち受け／通話中にかかわらず危険を報知することができ、多くの人に緊急情報を伝達することができる効果がある。
【０００９】
請求項２記載の発明によれば、呼出音を出力するサウンダと、音声を出力するスピーカと、特定のデータを受信した場合に待ち受け中か通話中かを判断し、待ち受け中であればサウンダに呼出音を出力し、通話中であれば前記特定のデータに対応する情報をディスプレイに出力する処理部とを備えた移動局としているので、待ち受け／通話中にかかわらず危険を報知することができ、多くの人に緊急情報を伝達することができる効果がある。
【発明を実施するための最良の形態】
【００１０】
本発明の実施の形態について図面を参照しながら説明する。
本発明の実施の形態に係る携帯電話システムは、非常時に、携帯電話システム全体を統括するメインホスト局からの指示で、各基地局から制御チャネルを介して、移動端末に対して強制的に緊急通報を行うことにより、利用者に迅速に緊急メッセージを送信することができ、より多くの人に緊急時の情報を提供できるものである。
【００１１】
まず、携帯電話システムの構成について図１を用いて説明する。図１は、携帯電話システムのシステム構成ブロック図である。図１に示すように、携帯電話システムは、システム全体を統括するメインホスト局１と、メインホスト局１に接続されたホスト局２と、ホスト局２に接続された基地局３と、利用者が携帯する移動局４とから構成されている。
【００１２】
そして、移動局４は、基地局３と交信し、基地局３は、上位のホスト局２に移動局４の位置情報等を送出し、同様に、ホスト局２は、メインホスト局１に移動局４の情報を送出する。逆に、メインホスト局１から、下位のホスト局２に向かって指示や情報を送出すると、各基地局３を介して、全ての移動局４に同一情報を伝達することができるようになっている。本システムでは、このことを利用して、メインホスト局１から全ての移動局４に対して緊急通報を送出するものである。
【００１３】
ここで、移動局４と基地局３との音声信号の送受信は、他の移動局４との干渉を防ぐため、互いに異なる周波数（音声チャネル）によって行われており、また、移動局４毎にフレーム構成も異なっている。そのため、同一の情報を全ての移動局４に流すには、音声チャネルを用いることはできない。
【００１４】
更に、移動局４の状態としては、待ち受けと、通話中の２つの状態があるが、緊急通報を伝達する場合、どちらの状態であっても同一の情報が伝わるようにする必要がある。
【００１５】
そこで、本システムでは、制御チャネルを用いて、メインホスト局１から全ての移動局４宛に緊急通報を送出するようにしている。制御チャネルは、全ての基地局３と、移動局４とが常に同一のフレーム構成で接続されているチャネルであり、位置登録や、チャネルの割り当て等に用いられている。そして、制御チャネルには、必要に応じて新たな情報を付加できる部分としてＲＳＶＤ(Reserved)フィールド（以下単に「ＲＳＶＤ」とする）が設けられている。本システムでは、メイン側から下位の移動局側に向かって送出される下り制御チャネルを用いる。
【００１６】
ここで、制御チャネルの構成について図２、図３を用いて簡単に説明する。図２は、待ち受け時の制御チャネルのビット構成を示す模式説明図であり、図３は、通話中の制御チャネルのビット構成を示す模式説明図である。図２、図３の例は、アナログ方式のＴＡＣＳ（Total Access CommunicationsSystem）、ＡＭＰＳ（Advanced Mobile Phone Service ）で用いられているものであるが、ディジタル方式でもこれと類似した構成となっているので、ここでは説明を省略する。
【００１７】
図２に示すように、待ち受け時に制御チャネルによって基地局３から移動局４へ送信される信号には、Controll-Filler-Message があり、待ち受け時の移動局４と基地局３との間で、一定の周期で同一のフレーム構成で結ばれているものである。Controll-Filler-Message には、ＲＳＶＤが設けられており、本システムでは、ここにメインホスト局１からの指示により緊急通報のデータを入れて、各基地局３から待ち受け中の移動局４にControll-Filler-Message を送出するようになっている。
【００１８】
また、図３に示すように、通話中の制御チャネルとしては、Mobil Station Controll Messageがあり、通話中の移動局４と基地局３との間で、同一のフレーム構成で結ばれており、ＴＡＣＳ、ＡＭＰＳの双方にＲＳＶＤが設けられている。そして、本システムでは、待ち受け時と同様に、基地局３が、メインホスト局１の指示に従って、ＲＳＶＤに緊急通報のデータ（緊急データ）を入れて通話中の移動局４に向けてMobil Station Controll Messageを送出する。
【００１９】
すなわち、緊急時には、メインホスト局１が、各基地局３に対して、Controll-Filler-Message のＲＳＶＤと、Mobil Station Controll MessageのＲＳＶＤに、特定の緊急データを入れるように指示を出力することにより、制御チャネルを用いて、全ての待ち受け中の移動局４と、通話中の移動局４に対して、緊急データを送出することができるものである。
【００２０】
次に、受信側の移動局４について図４を用いて説明する。図４は、本システムの移動局４の構成を示す構成ブロック図である。図４に示すように、移動局４の基本的な構成は、従来と同様であり、無線信号の送受信を行う無線部４１と、ディジタル信号の符号化／復号化を行うＤＳＰ（Digital Signal Processor）４２と、データを記憶する記憶部４３と、データを表示するディスプレイ４４と、通信に伴う処理等を行うＣＰＵ４５と、呼出音等を出力するサウンダ４６と、音声を出力するスピーカ４７とから構成されている。尚、本来なら、音声信号の符号化／復号化を行う音声信号処理部や、音声入力部等が設けられているが、本発明とは直接関係ないので、ここでは省略する。
【００２１】
そして、本システムの移動局４の特徴として、記憶部４３に、緊急データテーブル４３ａが設けられている。図５は、緊急データテーブル４３ａの説明図である。図５に示すように、緊急データテーブル４３ａは、予め設定されている緊急データと、それに対応する緊急メッセージとを対応させて記憶するものであり、移動局４が受信した制御チャネルのＲＳＶＤに、緊急データテーブル４３ａに記載されているデータが含まれていた場合には、移動局４は、緊急データテーブル４３ａによって規定されている緊急メッセージを音声により出力するようになっている。
【００２２】
例えば、制御チャネルのＲＳＶＤに含まれるデータが「０１」なら、移動局４は、「津波発生、注意してください」の緊急メッセージを出力し、「０２」なら「津波発生、避難して下さい」といった緊急メッセージを出力する。
【００２３】
次に、緊急時における本システムの動作について説明する。メインホスト局１は、緊急事態が発生すると、ホスト局２を介して、基地局３に、Controll-Filler-Message のＲＳＶＤと、Mobil Station Controll MessageのＲＳＶＤに、特定のデータを入れるように指示を出力する。メインホスト局１には、予め、移動局４の緊急データテーブル４３ａで規定されている緊急データが用意されており、例えば、津波が発生して住民に注意を促す場合、メインホスト局１は、ホスト局２を介して基地局３に、緊急データ「０１」を送出するように指示する。
【００２４】
そして、基地局３は、メインホスト局１からの指示を受信すると、全ての待ち受け中の移動局４宛に、制御チャネルによって、ＲＳＶＤに、緊急データ「０１」を入れたControll-Filler-Message を送出する。同様に、基地局３は、全ての通話中の移動局４宛に、制御チャネルによって、ＲＳＶＤに、緊急データ「０１」を入れたMobil Station Controll Messageを送出する。
【００２５】
移動局４は、待ち受け／通話中にかかわらず、制御チャネルを受信すると、ＲＳＶＤのデータを読み取って、緊急データが入っているかどうかをチェックし、入っていれば、緊急データに従って緊急メッセージ出力等の報知動作を行う。
【００２６】
具体的には、移動局４の無線部４１において制御チャネルを受信すると、ＤＳＰ４２は、受信信号を復号化して、データをＣＰＵ４５に送出する。ＣＰＵ４５は、ＲＳＶＤにデータがある場合には、記憶部４３の緊急データテーブル４３ａを参照して、ＲＳＶＤのデータが緊急データかどうかを確認し、緊急データであれば、予め設定されている音（待ち受け時には呼出音、通話中には報知音）をサウンダ４６に出力して利用者の注意を促し、更に、緊急データテーブル４３ａを参照して、緊急データに対応する緊急メッセージを音声としてスピーカ４７に出力する。尚、前述したように、移動局４は、待ち受け時には、Controll-Filler-Message のＲＳＶＤを読み取り、通話中には、Mobil Station Controll MessageのＲＳＶＤを読み取るものである。
【００２７】
例えば、ＣＰＵ４５は、制御チャネルのＲＳＶＤの緊急データが「０１」であった場合には、緊急データテーブル４３ａを参照して、スピーカ４７に「津波発生、注意してください」の緊急メッセージを音声で出力するようになっている。
【００２８】
これにより、本システムでは、緊急時にメインホスト局１から強制的に全ての移動局４に対して、緊急通報を行うことができ、常時利用者に接しているという携帯電話の利点を生かして、テレビやラジオからの情報が得にくい場合でも、１人でも多くの人に緊急の情報を伝達することができるものである。
【００２９】
次に、ＣＰＵ４５の動作について図６を用いて具体的に説明する。図６は、制御チャネルを受信した場合の移動局４のＣＰＵ４５の動作を示すフローチャート図である。図６に示すように、ＣＰＵ４５は、ＤＳＰ４２からデータを受信する（１００）と、緊急データテーブル４３ａを参照して、ＲＳＶＤに緊急データがあるかどうかをチェックし（１０２）、緊急データがある場合（Ｙｅｓの場合）には、移動局４（自機）の状態が待ち受けか通話中かを判断する（１０４）。緊急データがない場合（Ｎｏの場合）には、処理を終了する。
【００３０】
待ち受けであれば、ＣＰＵ４５は、予め設定されている呼出音をサウンダ４６に出力し（１０６）、利用者が電話に出た（オフフックした）かどうかをチェックし（１０８）、オフフックした場合には、記憶部４３の緊急データテーブル４３ａを参照して、緊急データに対応する緊急メッセージを読み出して、音声としてスピーカ４７に出力し（１１０）、処理を終わる。
【００３１】
また、処理１０４で、移動局４（自機）の状態が通話中であった場合には、ＣＰＵ４５は、緊急データが入ったことを知らせる報知音（メロディ、トーン等）をスピーカ４７に出力し（１２０）、それに続いて、緊急データテーブル４３ａを参照して、緊急データに対応した音声の緊急メッセージを、通話に重ねてスピーカ４７に出力し（１２２）、処理を終わる。このようにして、移動局４のＣＰＵ４５における処理が行われるものである。
【００３２】
本発明の実施の形態に係る携帯電話システムによれば、移動局４に、緊急データとそれに対応する緊急メッセージとを対応させて記憶する緊急データテーブル４３ａを備え、緊急時には、基地局３が、メインホスト局１からの指示に従って、制御チャネルによって伝送されるメッセージのＲＳＶＤに特定の緊急データを入れて送信し、移動局４が、制御チャネルを受信すると、ＲＳＶＤのデータを読み取って、緊急データテーブル４３ａを参照して、対応する緊急メッセージを音声としてスピーカ４７に出力する携帯電話システムとしているので、緊急時には、全ての移動局４に対してメインホスト局１から緊急通報を行うことができ、テレビやラジオ以外の情報伝達手段として利用することができ、より多くの人に緊急時の情報を提供することができる効果がある。
【００３３】
また、本システムでは、メッセージを音声として出力する場合について説明したが、音声だけでなく、ディスプレイ４４に表示するようにしても良い。また、緊急度によって呼出音や報知音の種類を変えても良く、そのような場合には、緊急データテーブル４３に呼出音、報知音のデータも指定しておく。
【００３４】
更に、本システムでは、音声チャネルではなく、制御チャネルを用いて緊急通報を送出するようにしているので、通話中であっても、電話を切ることなく緊急メッセージを聞くことができる効果がある。
【００３５】
更にまた、メインホスト局１が緊急データ送出指示をホスト局２に出力する際に、特定のホスト局２を選択して出力することもでき、これにより、特定地域にいる移動局４のみに緊急情報を流すことができる効果がある。
【００３６】
次に、本発明の別の実施の形態に係る携帯電話システムについて説明する。上述した例では、アナログ方式のシステムについて説明したが、別の実施の形態に係る携帯電話システムは、ＰＤＣ（Portable Digital Cellular ）等の、ディジタル方式を用いた携帯電話システムに用いられる。システムの概略構成、移動局４の構成は、図１及び図４に示したアナログ方式のものと同様である。
【００３７】
ディジタル方式でも、アナログ方式と同様に、制御チャネルを介して基地局から移動局へ送信される信号を用いて緊急データを送信するようにしている。ディジタルシステムでは、基地局から移動局へ送出されるメッセージとして、報知情報メッセージ（ＢＣＣＨ）があり、ＢＣＣＨの中の拡張情報要素長に、予め設定された緊急データを入れて送信する。ＢＣＣＨは、待ち受け時と通話時に共通の情報であるため、移動局の状態にかかわらず、全ての移動局宛にＢＣＣＨを用いて緊急通報を送出することができる。
【００３８】
すなわち、緊急時には、メインホスト局が、ホスト局を介して基地局に、ＢＣＣＨの拡張情報要素長に特定の緊急データを入れるように指示し、基地局は、その指示に従ってＢＣＣＨの拡張情報要素長に緊急データを入れて、制御チャネルによって全ての移動局４宛に送出する。
【００３９】
そして、アナログの場合と同様に、移動局には、予め設定された緊急データと出力するメッセージとを対応させる緊急データテーブルが設けられており、移動局が、基地局からＢＣＣＨを受信すると、ＣＰＵは、拡張情報要素長のデータをチェックして、緊急データが含まれていれば、緊急データテーブルを参照して、対応するメッセージを出力するようになっている。
【００４０】
本発明の別の実施の形態に係る携帯電話システムによれば、ディジタル方式の携帯電話システムにおいて、移動局に、緊急データと出力メッセージとを対応させる緊急データテーブルを備えておき、メインホスト局が基地局にＢＣＣＨの拡張情報要素長に特定の緊急データを入れて送出するように指示を出力し、基地局が、移動局宛にメインホスト局からの指示に従ってＢＣＣＨを送出し、移動局が、制御チャネルで受信したＢＣＣＨの拡張情報要素長に特定の緊急データが含まれていた場合、緊急データテーブルを参照して、緊急データに対応したメッセージを出力するようにしているので、ディジタル方式の携帯電話システムにおいても、待ち受け／通話中にかかわらず、全ての移動局に対して、緊急通報を送出し、移動局においてメッセージとして出力することができ、利用者に緊急情報を伝達することができる効果がある。
【産業上の利用可能性】
【００４１】
本発明は、携帯電話機を介して非常事態や災害時に強制的に通報を行い、多くの人に危険を報知できる携帯電話システムに適している。
【図面の簡単な説明】
【００４２】
【図１】本発明の実施の形態に係る携帯電話システムのシステム構成ブロック図である。
【図２】待ち受け時の制御チャネルのビット構成を示す模式説明図である。
【図３】通話中の制御チャネルのビット構成を示す模式説明図である。
【図４】本システムの移動局４の構成を示す構成ブロック図である。
【図５】緊急データテーブル４３ａの説明図である。
【図６】制御チャネルを受信した場合の移動局４のＣＰＵ４５の動作を示すフローチャート図である。
【符号の説明】
【００４３】
１…メインホスト局、  ２…ホスト局、  ３…基地局、  ４…移動局、  ４１…無線部、  ４２…ＤＳＰ、  ４３…記憶部、  ４３ａ…緊急データテーブル、  ４４…ディスプレイ、  ４５…ＣＰＵ、  ４６…サウンダ、  ４７…スピーカ
【図１】
2005204326.tif 000003
【図２】
2005204326.tif 000004
【図３】
2005204326.tif 000005
【図４】
2005204326.tif 000006
【図５】
2005204326.tif 000007
【図６】
2005204326.tif 000008